(57)【要約】      （修正有）【課題】周囲の販売コーナーや店舗における音や香りの影響を他に与えることなく、音と香りにより商品を演出できる商空間演出システムを提供する。【解決手段】商空間演出システム１は、複数のスピーカユニット２６−１〜２６−Ｎを備え、音声の放音範囲が一定空間内に制限された狭指向性のスピーカ部と、香りを発生させる芳香部と、気流を発生させて、芳香部が発生させた香りを一定空間内に留める気流発生部と、を備えている。商空間演出システム１Ａ、１Ｂでは、スピーカ部としてアレイスピーカ２６を使用しているので、音声をビーム化して出力でき、音声を放音する範囲を一定範囲に限定できる。また、商空間演出システムでは、芳香部の周囲に排気部３１Ａ−１〜３１Ａ−４を設けて、芳香部を設けた面と異なる面に吸気部３２Ａ−１〜３２Ａ−４を設けるので、芳香部の周囲に帯状の気流を生成して、芳香部が発生させた香りを一定空間内に留めることができる。【選択図】図２
2008242398.tif 000002
【特許請求の範囲】
【請求項１】
音声の放音範囲が一定空間内に制限された狭指向性のスピーカ部と、
空気を吹き出す排気部と、前記排気部が吹き出した空気を吸い込む吸気部と、により一定空間内に気流を発生する気流発生部と、
香りを発生させる芳香部と、
を備え、
前記スピーカ部及び前記芳香部をそれぞれ天井面または床面に設け、前記排気部を前記芳香部の周囲に取り付け、前記芳香部を取り付けた面と異なる面に前記吸気部を取り付けて、前記排気部から前記吸気部への気流により、前記芳香部が発生させた香りを一定空間内に留めることを特徴とする商空間演出システム。
【請求項２】
前記スピーカ部は、複数のスピーカユニットの全部または一部に音声信号を分配し、これらのスピーカユニットから音声信号を出力するタイミングを制御して、一定空間内に音声ビームを出力するアレイスピーカを備えた請求項１に記載の商空間演出システム。
【請求項３】
天井パネル及び床パネルを含む商空間ブースを備え、
前記スピーカ部及び前記芳香部をそれぞれ前記天井パネルの天井面または前記床パネルの床面に設けた請求項１または２に記載の商空間演出システム。
【請求項４】
前記気流発生部は、前記一定空間を取り囲む筒状の気流を発生させる請求項１乃至３のいずれかに記載の商空間演出システム。
【請求項５】
前記排気部は、前記芳香部の周囲に同一周回方向に空気を吹き出すように吹き出し口を備え、
前記吸気部は、前記排気部を取り付けた面と異なる面に、前記吹き出し口から吹き出した空気を吸い込む１つの吸気口を備えた請求項１乃至４のいずれかに記載の商空間演出システム。
【請求項６】
前記スピーカ部が再生する楽曲を切り換える毎に、前記芳香部に異なる香りを発生させる制御部を備えた請求項１乃至５のいずれかに記載の商空間演出システム。
【請求項７】
前記制御部は、前記芳香部に特定のタイミングで異なる香りを発生させる毎に、
前記スピーカ部に異なる楽曲を再生させる請求項１乃至５のいずれかに記載の商空間演出システム。
【請求項８】
前記一定空間内に人が存在する検出信号を出力する検出部を備え、
前記スピーカ部及び前記芳香部は、前記検出信号が出力されると、音声の再生及び香りの発生を行う請求項１乃至７のいずれかに記載の商空間演出システム。
【発明の詳細な説明】
【技術分野】
【０００１】
本発明は、音と香りにより商品を演出する商空間演出システムに関する。
【背景技術】
【０００２】
音や香りは、商品を販売する上で重要な要素である。例えば、店の雰囲気に応じた音楽を流して、商品や店舗の雰囲気を演出することも多い。また、店内に香を焚いたり芳香剤を噴霧したりして、商品や店内の雰囲気を演出することがある。
【０００３】
食品を店頭販売する際には、試食品を作るために店頭で調理することが多い。また、におい発生装置により食品のにおいを発生させて、販促活動を行うことが提案されている（例えば、特許文献１参照。）。
【０００４】
店頭での調理や匂い発生装置等により、その食品の香りが販売コーナーやその周辺に漂うと、買い物客は、この香りに誘われてその食品を購入することも多い。
【特許文献１】特開２００３−２４４２７号公報
【発明の開示】
【発明が解決しようとする課題】
【０００５】
しかし、百貨店やスーパマーケットでは、販売コーナー毎に壁などにより仕切られていない場合が多い。そのため、隣接する販売コーナーや他の店舗で流されている音楽や、販売中の食品・芳香剤等の香りの影響で、その販売コーナーにおいて、音楽が聞こえにくくなったり、食品や芳香剤の香りがわかりにくくなったりして、商品販売量が芳しくないことがあった。
【０００６】
また、展示会場等でも同様に、近隣ブースの音楽や香りの影響を受けて、特定のブースが目立たなくなり、客足が延びないことがあるという問題があった。
【０００７】
そこで、本発明は、周囲の販売コーナーや店舗における音や香りの影響を他に与えることなく、音と香りにより商品を演出できる商空間演出システムを提供することを目的とする。
【課題を解決するための手段】
【０００８】
この発明は、上記の課題を解決するための手段として、以下の構成を備えている。
【０００９】
（１）音声の放音範囲が一定空間内に制限された狭指向性のスピーカ部と、
空気を吹き出す排気部と、前記排気部が吹き出した空気を吸い込む吸気部と、により一定空間内に気流を発生する気流発生部と、
香りを発生させる芳香部と、
を備え、
前記スピーカ部及び前記芳香部をそれぞれ天井面または床面に設け、前記排気部を前記芳香部の周囲に取り付け、前記芳香部を取り付けた面と異なる面に前記吸気部を取り付けて、前記排気部から前記吸気部への気流により、前記芳香部が発生させた香りを一定空間内に留めることを特徴とする。
【００１０】
この構成においては、商空間演出システムは、音声の放音範囲が一定空間内に制限された狭指向性のスピーカ部と、排気部から吸気部への気流により、芳香部が発生させた香りを一定空間内に留める気流発生部を備えている。したがって、商空間演出システムでは、音声の放音範囲が一定空間内に限定されている。また、商空間演出システムでは、芳香部の周囲に気流（エアーカーテン）を生成して、芳香部が発生させた香りを一定空間内に留めることができる。これにより、システム内を一定空間に設定することで、システムの外部に音や香りが漏れることなく、システム内で商品の演出を行うことができる。
【００１１】
（２）前記スピーカ部は、複数のスピーカユニットの全部または一部に音声信号を分配し、これらのスピーカユニットから音声信号を出力するタイミングを制御して、一定空間内に音声ビームを出力するアレイスピーカを備えたことを特徴とする。
【００１２】
この構成においては、スピーカ部は、アレイスピーカを備えており、一定空間内に音声ビームを出力可能である。アレイスピーカでは、各スピーカユニットの音声信号出力タイミングを調整することで、音声ビームの指向性を制御できるので、音声ビームを出力する方向やビームの太さを調整することで、さらに細かい演出が可能となる。
【００１３】
（３）天井パネル及び床パネルを含む商空間ブースを備え、
前記スピーカ部及び前記芳香部をそれぞれ前記天井パネルの天井面または前記床パネルの床面に設けたことを特徴とする。
【００１４】
この構成においては、商空間ブースの天井パネルの天井面または床パネルの床面に、スピーカ部及び芳香部を設けて、芳香部の周囲に排気部を取り付け、芳香部を取り付けた面と異なる面に吸気部を取り付けている。したがって、商空間演出システムでは、芳香部の周囲に気流を生成して、芳香部が発生させた香りを商空間ブース内に留めることができる。また、商空間演出システムは、商空間ブースに組み込まれているので、移動や組み立てが容易であり、展示会等に複数設営できる。
【００１５】
（４）前記気流発生部は、前記一定空間を取り囲む筒状の気流を発生させることを特徴とする。
【００１６】
この構成においては、気流発生部は筒状の気流を発生させて、一定空間を取り囲む。したがって、商品を演出する空間として、筒状の広い空間を確保することが可能となり、外部に香りが漏れることなく、香りを用いて商品を効果的に演出できる。
【００１７】
（５）前記排気部は、前記芳香部の周囲に同一周回方向に空気を吹き出すように吹き出し口を備え、
前記吸気部は、前記排気部を取り付けた面と異なる面に、前記吹き出し口から吹き出した空気を吸い込む１つの吸気口を備えたことを特徴とする。
【００１８】
この構成においては、芳香部の周囲に、同一周回方向に空気を吹き出すように吹き出し口を設置することで、渦状の気流を発生させることができる。また、排気部を取り付けた面と異なる面に１つの吸気口を設けることで、円錐状に渦を巻く気流を発生させることができる。したがって、芳香部の周囲にこの気流を発生させることで、外部に香りが拡散することなく、また、渦状の気流により効率良く香りの成分を回収できる。
【００１９】
（６）前記スピーカ部が再生する楽曲を切り換える毎に、前記芳香部に異なる香りを発生させる制御部を備えたことを特徴とする。
【００２０】
この構成においては、楽曲と香りによって商品を演出する際に、再生する楽曲毎に異なる香りを発生させる。これにより、複数の異なるイメージにより商品を演出することが可能となる。
【００２１】
（７）前記制御部は、前記芳香部に特定のタイミングで異なる香りを発生させる毎に、
前記スピーカ部に異なる楽曲を再生させることを特徴とする。
【００２２】
この構成においては、楽曲と香りによって商品を演出する際に、発生させる香りに応じて再生する楽曲を切り換える。これにより、複数の異なるイメージにより商品を演出することが可能となる。
【００２３】
（８）前記一定空間内に人が存在する検出信号を出力する検出部を備え、
前記スピーカ部及び前記芳香部は、前記検出信号が出力されると、音声の再生及び香りの発生を行うことを特徴とする。
【００２４】
この構成においては、商空間演出システムでは、検出部で人の有無を検出し、人が存在する場合に、音声を再生したり香りを発生させたりする。したがって、人がいないときに、無駄な動作を防止できる。
【発明の効果】
【００２５】
本発明の商空間演出システムによれば、狭指向性のスピーカ部から音声を放音するので、音声の放音範囲を一定空間内に限定できる。また、商空間演出システムでは、芳香部の周囲に気流（エアーカーテン）を生成して、芳香部が発生させた香りを一定空間内に留めることができる。これにより、システム内を一定空間に設定することで、システムの外部に音や香りが漏れることなく、システム内で商品の演出を行うことができる。
【発明を実施するための最良の形態】
【００２６】
まず、本発明の実施形態に係る商空間演出システムの概略を説明する。商空間演出システムは、音声の放音範囲が一定空間内に制限された狭指向性のスピーカ部と、香りを発生させる芳香部と、気流を発生させて、芳香部が発生させた香りを一定空間内に留める気流発生部と、を備えている。
【００２７】
商空間演出システムを室内に設ける場合には、各部を部屋の天井や床や側壁に取り付けると良い。また、各部が予め取り付けられている天井パネルや床パネルにより構成される商空間ブースを、室内に設置しても良い。
【００２８】
商空間演出システムでは、スピーカ部が狭指向性である。これにより、音声を放音する範囲を一定空間内に限定でき、他の販売コーナーやブースに対して音声を放音するのを防止できる。
【００２９】
また、商空間演出システムでは、芳香部の周囲に排気部を設けて、芳香部を設けた面と異なる面（向い側の面または側面）に吸気部を設けるので、芳香部の周囲に帯状の気流を生成できる。したがって、気流発生部が発生させる気流により、芳香部が発生させた香りを一定空間内に留めることができ、このシステム外へ香りが拡散するのを防止できる。
【００３０】
次に、商空間演出システムの構成について説明する。図１は、商空間演出システムの概略構成を示すブロック図である。図１に示すように、商空間演出システム１は、スピーカ部２、気流発生部３、芳香部４、照明部６、表示部７、記憶部８、操作部９、制御部１０、及び人感センサ１７を備えている。
【００３１】
スピーカ部２は、入力端子２０、デコーダ２１、方向制御部（図１にはＤｉｒＣと表記。）２２Ａ〜２２Ｃ、加算器２３−１〜２３−Ｎ、Ｄ／Ａコンバータ２４−１〜２４−Ｎ、パワーアンプ２５−１〜２５−Ｎ、及びアレイスピーカ２６を構成するスピーカユニット２６−１〜２６−Ｎを備えている。スピーカ部２は、一例として、３チャンネルの音声信号を出力可能である。また、スピーカ部２では、狭指向性のスピーカとして、ラウドスピーカを使用することも可能であるが、図１には一例として、アレイスピーカ２６を用いた場合を記載している。
【００３２】
入力端子２０は、オーディオプレーヤ（例えばＤＶＤプレーヤ）１９と接続され、オーディオプレーヤ１９が出力した（デジタル）音声信号が入力される。
【００３３】
デコーダ２１は、入力端子２０から入力された（デジタル）音声信号をデコードして、チャンネル１の音声信号を方向制御部２２Ａに、チャンネル２の音声信号を方向制御部２２Ｂに、及びチャンネル３の音声信号を方向制御部２２Ｃに、それぞれ出力する。
【００３４】
方向制御部２２Ａ〜２２Ｃは、制御部１０の設定に従い、各チャンネルの音声信号を必要量遅延させた信号を生成し、スピーカユニット２６−１〜２６−Ｎの１つまた複数に分配する。方向制御部２２Ａ〜２２Ｃにより付加される遅延により、各チャンネルの音声信号の音声ビーム化が可能である。
【００３５】
加算器２３−１〜２３−Ｎは、それぞれ方向制御部２２Ａ〜２２Ｃから出力された音声信号を加算して出力する。
【００３６】
Ｄ／Ａコンバータ２４−１〜２４−Ｎは、加算器２３−１〜２３−Ｎが出力したデジタル音声信号をアナログ音声信号に変換して出力する。
【００３７】
パワーアンプ２５−１〜２５−Ｎは、Ｄ／Ａコンバータ２４−１〜２４−Ｎが出力したアナログ音声信号を増幅して出力する。
【００３８】
スピーカユニット２６−１〜２６−Ｎは、パワーアンプ２５−１〜２５−Ｎが増幅した音声信号を音声に変換して放音する。
【００３９】
気流発生部３は、排気部３１、吸気部３２、及びフィルタ３３を備えている。また、気流発生部３は、循環部３４を備えた構成であっても良い。
【００４０】
排気部３１は、空気を排出する。吸気部３２は、排気部３１が排出した空気を吸い込む。フィルタ３３は、吸気部３２が吸い込んだ空気から香りの成分を除去する。循環部３４は、フィルタ３３を通過した空気を排気部３１に送る。
【００４１】
芳香部４は、香料貯蔵部４１−１〜４１−Ｎ、合成部４２、及び噴霧部４３を備えている。
【００４２】
香料貯蔵部４１−１〜４１−Ｎは、それぞれ異なる香料１〜Ｎを貯蔵している。合成部４２は、制御部１０の設定に従い、香料貯蔵部４１−１〜４１−Ｎから、１つの香料を取り出した場合には、そのまま噴霧部４３へ送り込む。また、合成部４２は、制御部１０の設定に従って、複数の香料を取り出した場合には、これらの香料を合成して噴霧部４３へ送り込む。噴霧部４３は、香料を噴霧して、香りを発生させる。
【００４３】
香りセンサ５は、芳香部４が発生させた香り（香料）の気中濃度を検出して、制御部１０に出力する。制御部１０は、香り（香料）の気中濃度が低い場合には、芳香部４に制御信号を出力して、香料を噴霧させる。
【００４４】
照明部６は、複数の照明灯から成り、展示する商品等に対して、光を照射する。
【００４５】
表示部７は、制御部１０から出力された制御信号に基づいてユーザに伝達する情報を表示する。また、表示部７は、オーディオプレーヤ１９で再生した映像を表示する。
【００４６】
記憶部８は、スピーカ部２から放音する音声について、特定の楽曲や特定のフレーズの再生時に、芳香部４で発生させる香りの情報が格納されている。また、記憶部８は、芳香部４で香りを発生させた際に、オーディオプレーヤ１９で再生して、アレイスピーカ２６から放音させる楽曲を記憶している。また、記憶部８は、展示する商品に応じて、再生する音楽や噴霧する香りの演出パターンを複数記憶している。
【００４７】
操作部９は、商空間演出システム１に対する各種の設定操作等を受け付けて、その操作に応じた信号を制御部１０に出力する。
【００４８】
制御部１０は、商空間演出システム１の各部を制御する。
【００４９】
人感センサ１７は、人がいることを検出して、信号を制御部１０に出力する。制御部１０は、人感センサ１７から信号が出力されていると、スピーカ部２及び芳香部４を動作させ、人感センサ１７から信号が出力されていない場合にはスピーカ部２及び芳香部４の動作を停止させる。
【００５０】
次に、商空間演出システム１の設置例を説明する。図２は、部屋の天井及び床に商空間演出システムの各部を取り付けた状態を示す概観図である。ここで、図２では、天井面と床面は平行であるが、両面を同時に見えるように図示している。
【００５１】
図２（Ａ）は、商空間演出システム１Ａの取り付け例である。商空間演出システム１Ａは、筒状の気流を発生させて、筒状のエアーカーテンにより一定空間を取り囲む方式である。商空間演出システム１Ａを部屋に取り付ける際には、同図に示すように、まず、スピーカ部２・芳香部４・香りセンサ５・照明部６・人感センサ１７が一体となったパネル２４５を、商品を展示する場所の天井に取り付ける。続いて、パネル２４５の周囲に、排気部３１Ａ−１〜３１Ａ−４を取り付ける。さらに、パネル２４５と向かい合う床面に床パネル３５を設置し、その周囲に吸気部３２Ａ−１〜３２Ａ−４を設置する。また、操作部９や制御部１０を内蔵するコントローラユニットと各部を配線する。そして、商品を床パネル３５上に展示すると良い。
【００５２】
ここで、パネル２４５には、Ｎ個（図２にはＮ＝２４個の場合を示している。）のスピーカユニット２６−１〜２６−２４がマトリックス状に一定間隔で配設されている。また、パネル２４５には、芳香部４の噴霧口４−１〜４−４が一定間隔で設けられている。さらに、パネル２４５には、照明部６の構成要素である複数の照明灯が取り付けられている。
【００５３】
排気部３１Ａ−１〜３１Ａ−４及び吸気部３２Ａ−１〜３２Ａ−４は、排気及び吸気を行うためのモータやファンを内蔵しており、筐体の表面（図の斜線部）に、それぞれ複数の排気口及び吸気口（不図示）が一定間隔で形成されている。
【００５４】
商空間演出システム１Ａを稼働させると、排気部３１Ａ−１〜３１Ａ−４は、吸気部３２に対向する面全体の複数の排気口から、吸気部３２Ａ−１〜３２Ａ−４に向けて排気を行い、吸気部３２は排気部３１に対向する面全体の複数の吸気口で吸気を行うので、パネル２４５及び床パネル３５の周囲を結ぶ空間を取り囲む気流により、筒状のエアーカーテンＡＣ１が形成される。商空間演出システム１Ａは、このように天井と床の間に筒状のエアーカーテンＡＣ１を形成するので、芳香部４で発生させた香りが、その外部に拡散するのを防止できる。
【００５５】
また、商空間演出システム１Ａでは、アレイスピーカ２６から放音させる音声は、ビーム化されて音声ビームＳＢ１として吸気部３２−１Ａ〜３２Ａ−４の内側の矩形の領域に放音するように設定されている。また、床パネル３５は、吸音素材により形成されている。これにより、アレイスピーカ２６から放音された音声は、商空間演出システム１Ａを設置した一定空間内のみで聞こえ、その外部では聞こえないようにされている。
【００５６】
また、商空間演出システム１Ａでは、設定に応じて、常に同じ香りを発生させることや、アレイスピーカ２６から放音する楽曲のフレーズや種類を切り換える毎に、異なる香りを発生させることができる。
【００５７】
また、商空間演出システム１Ａでは、任意のタイミングで香りを発生させ、香りセンサ５がその香りの濃度が予め設定した濃度以下になると、別の香りを発生させることができる。このとき、商空間演出システム１Ａでは、発生させる香りを変化させる毎に、異なる楽曲を再生するように設定することが可能である。
【００５８】
また、商空間演出システム１Ａでは、スピーカ部２で再生する楽曲や芳香部４で発生させる香りに応じて、照明部６の照明灯を点滅させたり、点灯・消灯したりすることができる。
【００５９】
また、商空間演出システム１Ａでは、人感センサ１７により、人の有無を検出しており、人がいる場合にのみ、スピーカ部２及び芳香部４を動作させるので、装置を無駄に動作させることなく、商品を演出することができる。
【００６０】
このように、商空間演出システム１Ａでは、音声を音声ビームとして放音し、エアーカーテン内で香りを発生させるので、その周囲に壁や仕切りを設けていないが、一定空間内のみに音声が聞こえ、香りが漂うようにすることができ、商空間演出システム１Ａの範囲外に音声や香りが漏れるのを防止できる。
【００６１】
次に、図２（Ａ）とは異なる構成の商空間演出システムの設置例を説明する。図２（Ｂ）は、商空間演出システムを取り付けた状態を示す概観図である。商空間演出システム１Ｂは、渦状の気流を発生させて、円錐状のエアーカーテンにより一定空間を取り囲む方式である。商空間演出システム１Ｂを部屋に取り付ける際には、図２（Ａ）と同様に、まず、商品を展示する場所の天井にパネル２４５を取り付ける。続いて、パネル２４５の周囲に想定した矩形の四隅（図２（Ｂ）では、矩形のパネル２４５の四隅）に、排気部３１Ｂ−１〜３１Ｂ−４を、矩形の各辺に沿って同一周回方向に空気を吹き出すように吹き出し口を向けて設置する。また、パネル２４５の中心と向かい合う床面に吸気部３２Ｂを設置する。さらに、操作部９や制御部１０を内蔵する不図示のコントローラユニットと各部とを配線する。そして、商品を吸気部３２Ｂの周囲に展示すると良い。
【００６２】
なお、パネル２４５は矩形に限るものではなく、円形や六角形や八角形等、他の形状でも良く、また、この場合、各排気部３１Ｂ−１〜３１Ｂ−４を、パネル２４５の周囲に一定の間隔で、周回方向に空気を吹き出すように吹き出し口を向けて設置すると良い。また、排気部３１Ｂの数量は４つに限るものではなく、設置条件に応じて数量を増減すると良い。
【００６３】
排気部３１Ｂ−１〜３１Ｂ−４は、排気を行うためのモータやファンを内蔵しており、筐体の側面にそれぞれ排気口を備えている。また、吸気部３２Ｂは、吸気を行うためのモータやファンを内蔵しており、筐体の上面に、吸気口３２Ｂ−１を備えている。
【００６４】
商空間演出システム１Ｂを稼働させると、排気部３１Ｂ−１〜３１Ｂ−４が排気した気流は渦状になり、吸気部３２Ｂにより吸気されるので、この渦状の気流によりパネル２４５の下部の一定空間を取り囲む円錐状のエアーカーテンＡＣ２が形成される。商空間演出システム１Ｂは、このようにエアーカーテンＡＣ２を形成するので、芳香部４で発生させた香りが、その外部に拡散するのを防止できる。
【００６５】
また、商空間演出システム１Ｂでは、商空間演出システム１Ａと同様に、アレイスピーカ２６から放音させる音声をビーム化して、音声ビームＳＢ２をパネル２４５と向かい合う床面に設定した矩形の範囲内に向けて放音するように設定されている。これにより、アレイスピーカ２６から放音された音声は、商空間演出システム１Ｂを設置した一定空間内のみで聞こえ、その外部では聞こえないようにすることができる。
【００６６】
さらに、商空間演出システム１Ｂでは、商空間演出システム１Ａと同様に、楽曲のフレーズや種類に応じて異なる香りを発生させたり、発生させる香りを変化させる毎に異なる楽曲を再生したり、照明部６の照明灯の点灯を制御したりすることができる。
【００６７】
次に、商空間演出システムの別の構成を説明する。図３は、商空間演出システムの別の構成を示す概観図である。ここで、図３では、天井パネルと床パネルを平行に設置しているが、天井パネルの下面と床パネルの上面を同時に見えるように図示している。また、同図において、これらの面が見やすいように、柱１３Ｃ−２を透明に記載している。
【００６８】
図３（Ａ）に示す商空間演出システム１Ｃは、天井パネル１１Ｃと床パネル１２Ｃを４つの柱１３Ｃ−１〜１３Ｃ−４で接続したユニット（以下、商空間ブースと称する。）に、図２（Ａ）に示した商空間演出システム１Ａの構成を設けたものである。
【００６９】
天井パネル１１Ｃは、矩形で、下面（天井面）の周囲に沿って排気部３１が形成されており、不図示のファンやモータを内蔵し、天井面には複数の排気口（不図示）が一定間隔で形成されている。また、排気部３１の内側の矩形領域には、前記のパネル２４５と同様に、スピーカ部２・芳香部４・香りセンサ５・照明部６・人感センサ１７が一体的に形成されている。
【００７０】
床パネル１２Ｃは、矩形で、天井パネル１１Ｃと同じ大きさであり、上面（床面）の周囲に沿って吸気部３２が形成されており、不図示のファンやモータを内蔵し、床面には複数の吸気口（不図示）が一定間隔で形成されている。また、吸気部３２の内側の矩形領域は、商品の展示用スペースである。
【００７１】
柱１３Ｃ−１〜１３Ｃ−４は、中空であり、天井パネル１１Ｃを支持するだけでなく、吸気部３２が吸気してフィルタ３３を通過した空気を排気部３１に循環させるための流路（循環部３４Ｄ−１〜３４Ｄ−４）となっている。
【００７２】
商空間演出システム１Ｃは、商空間ブースに組み込まれているので、移動や組み立てが容易であり、展示会等に複数設営できる。
【００７３】
商空間演出システム１Ｃを稼働させると、気流発生部３の排気部３１Ｃと吸気部３２Ｃとの間に気流が発生して、天井パネル１１Ｃと床パネル１２Ｃの間に筒状のエアーカーテンＡＣ３が形成されるので、芳香部４で香りを発生させても、エアーカーテンＡＣ３の外部に香りが拡散するのを防止できる。また、商空間演出システム１Ｃでは、気流発生部３で商空間ブース内の空気を循環させるので、吸気部３２Ｃからの排気を特に処理しなくても良い。
【００７４】
商空間演出システム１Ｃでは、天井パネル１１Ｃの外周部から床パネル１２Ｃの外周部に向かう気流により筒状のエアーカーテンを生成しているが、これに限るものではなく、気流の向きは逆でも良い。すなわち、図３（Ｂ）に示す商空間演出システム１Ｄのように、矩形の床パネル１２Ｄの周囲に沿って排気部３１Ｄを形成するとともに、排気部３１の内側の矩形領域内に、芳香部４の噴霧口４Ｄ−１〜４Ｄ−４を設ける。また、矩形の天井パネル１１Ｄの周囲に沿って吸気部３２Ｄを形成し、吸気部３２Ｄの内側の矩形領域には、スピーカ部２・香りセンサ５・照明部６を一体的に形成する。これにより、床パネル１２Ｄの外周部から天井パネル１１Ｄの外周部に向かう気流により、筒状のエアーカーテンを生成できる。
【００７５】
なお、天井パネル１１Ｄの吸気部３２Ｄが吸い込んだ空気は、不図示のフィルタ３３を通過して、香りの成分が除去されて、中空の柱１３Ｄ−１〜１３Ｄ−４（循環部３４Ｄ−１〜３４Ｄ−４）を通過して、排気部３１Ｄに送られる。
【００７６】
次に、図２（Ｂ）に示した商空間演出システム１Ｂを商空間ブースに設けることも可能である。図４は、商空間演出システムのさらに別の構成を示す概観図である。図４（Ａ）に示すように、商空間演出システム１Ｅは、天井パネル１１Ｅと床パネル１２Ｅを４つの柱１３Ｅ−１〜１３Ｅ−４によって接続した商空間ブースから成る。天井パネル１１Ｅは、矩形で、下面（天井面）の四隅に排気部３１の排気口３１Ｅ−１〜３１Ｅ−４が、天井パネル１１Ｅの各辺に沿って同一周回方向に空気を吹き出すように吹き出し口を向けて形成されており、不図示のファンやモータを内蔵している。また、天井パネル１１Ｅにおいて、排気部３１よりも内側の領域には、前記のパネル２４５と同様に、スピーカ部２・芳香部４・香りセンサ５・照明部６・人感センサ１７が一体的に形成されている。
【００７７】
床パネル１２Ｅは、矩形で、天井パネル１１Ｅと同じ大きさであり、上面（床面）の中央部に吸気部３２Ｅが形成されており、不図示のファンやモータを内蔵している。また、吸気部３２Ｅの周囲の領域は、商品の展示用スペースである。
【００７８】
柱１３Ｃ−１〜１３Ｃ−４は、商空間演出システム１Ｃと同様に、気流発生部の空気を循環させるための流路（循環部３４Ｅ−１〜３４Ｅ−４パイプ）になっている。
【００７９】
商空間演出システム１Ｅを稼働させると、排気部３１Ｅ−１〜３１Ｅ−４が排気した気流は渦状になり、吸気部３２Ｅにより吸気されるので、この渦状の気流により天井パネル１１Ｅの下部の一定空間を取り囲む円錐状のエアーカーテンＡＣ５が形成される。商空間演出システム１Ｂは、このようにエアーカーテンＡＣ５を形成するので、芳香部４で発生させた香りが、その外部に拡散するのを防止できる。
【００８０】
また、商空間演出システム１Ｅでは、商空間演出システム１Ｂと同様に、アレイスピーカ２６から放音させる音声をビーム化して、音声ビームＳＢ５を床パネル１２Ｅ内に向けて放音するように設定されている。これにより、アレイスピーカ２６から放音された音声は、商空間演出システム１Ｅを設置した一定空間内のみで聞こえ、その外部では聞こえないようにすることができる。
【００８１】
さらに、商空間演出システム１Ｅでは、商空間演出システム１Ｂと同様に、楽曲のフレーズや種類に応じて異なる香りを発生させたり、発生させる香りを変化させる毎に異なる楽曲を再生したり、照明部６の照明灯の点灯を制御したりすることができる。
【００８２】
商空間演出システム１Ｅでは、床パネル１２Ｅの中央部に吸気部３２Ｅを形成しているが、これに限るものではなく、例えば、商空間ブースの側面に形成しても良い。すなわち、図４（Ｂ）に示す商空間演出システム１Ｆのように、天井パネル１１Ｆと床パネル１２Ｆを接続する２本の柱の替わりに、商空間ブースの側壁として矩形の側面パネル１３Ｆを設けて、この側面パネル１３Ｆの中央部に吸気部３２Ｆを形成すると良い。
【００８３】
商空間演出システム１Ｅを稼働させると、排気部３１Ｅ−１〜３１Ｅ−４が排気した気流は渦状になり、側面パネル１３Ｆの吸気部３２Ｆにより吸気されるので、この渦状の気流により天井パネル１１Ｆの下部から、側面パネル１３Ｆの中央部にわたる一定空間を取り囲む変形円錐状のエアーカーテンＡＣ６が形成される。商空間演出システム１Ｆでは、このエアーカーテンＡＣ６により、芳香部４で発生させた香りがその外部に拡散するのを防止できる。
【００８４】
次に、商空間演出システム１では、側面パネル１３に映像を表示するモニタを設けて、音声と香りと映像によって商品を演出することも可能である。図５は、さらに別の構成の商空間演出システムの概略構成図である。図５（Ａ）に示す商空間演出システム１Ｇは、図３（Ａ）に示した商空間演出システム１Ｃの商空間ブースにおいて、柱１３Ｃ、１３Ｄを側面パネル１３Ｇに置き換えたものである。さらに、側面パネル１３Ｇの内面には、表示部７の構成要素であるモニタ７Ｇが取り付けられている。
【００８５】
商空間演出システム１Ｇでは、モニタ７Ｇに表示させる映像やアレイスピーカ２６から放音させる楽曲に応じて、予め設定されたタイミングで特定の香りを発生することができる。このように、商空間演出システム１Ｇでは、さらに映像を利用できるので、商品の演出効果をアップできる。
【００８６】
以上のように、商空間演出システム１では、外部に音や香りが漏れることなく、展示する商品を演出することができるので、図５（Ｂ）に示すように、展示会や見本市の会場において、商空間ブースを用いたシステムを複数並べても、他に悪影響を及ぼすことなく、商品を展示できる。
【００８７】
なお、商空間ブース１Ｃ，１Ｄ，１Ｅ，１Ｆ，１Ｇは、天井パネル及び床パネルが矩形のものを図示したが、これに限るものではなく、円形や六角形等、他の形状であっても良い。
【図面の簡単な説明】
【００８８】
【図１】商空間演出システムの概略構成を示すブロック図である。
【図２】部屋の天井及び床に商空間演出システムの各部を取り付けた状態を示す概観図である。
【図３】商空間演出システムの別の構成を示す概観図である。
【図４】商空間演出システムのさらに別の構成を示す概観図である。
【図５】さらに別の構成の商空間演出システムの概略構成図である。
【符号の説明】
【００８９】
１…商空間演出システム    ２…スピーカ部    ３…気流発生部
４…芳香部    ５…香りセンサ    ６…照明部    ７…表示部    ７Ｇ…モニタ
８…記憶部    ９…操作部    １０…制御部    １７…人感センサ
１９…オーディオプレーヤ    ２０…入力端子    ２１…デコーダ
２２Ａ，２２Ｂ，２２Ｃ…方向制御部    ２３…加算器    ２４…Ｄ／Ａコンバータ
２５…パワーアンプ    ２６…アレイスピーカ（スピーカユニット）
３１…排気部    ３２…吸気部    ３３…フィルタ    ３４…循環部
【図１】
2008242398.tif 000003
【図２】
2008242398.tif 000004
【図３】
2008242398.tif 000005
【図４】
2008242398.tif 000006
【図５】
2008242398.tif 000007